(57)【要約】【課題】従来、雨樋内部に詰まった落葉等を除去する方法において、屋根に上がるか脚立や梯子に登って作業しているが、これらの作業方法では危険を伴い大変なリスクと労力を要する。そこで高い位置にある雨樋内部の目詰まり状況を地上からミラーで遠隔的に覗き見しながら、誰でも安全且容易に掃除できる水道水利用のミラー付雨樋掃除用具を提供することにある。【解決手段】送水管基体の先端寄りにミラーを具備し、さらに、先端筒口から、延長状にフレキシブル管を固定して設け、さらにミラー支持部と係止掛部を備えるミラー保持具を設け、下方一端部には水道ホース継合部と止水栓を装備する構造として完成する水道水利用のミラー付雨樋掃除用具とする。【選択図】      図１
2005264687.tif 000002
【特許請求の範囲】
【請求項１】
送水管中竿と送水管外竿を伸縮自在として構成する送水管竿体において、先端筒口延長状にフレキシブル管を連結固定し、他一端部には水道ホース継合部を具備し、さらに送水管竿体にミラー保持具を設け、ミラー保持具を介してミラーを装備するのを特徴とした水道水利用のミラー付雨樋掃除用具。
【請求項２】
ミラー保持具は、ミラーアーム支持部と係止掛部を具備する構造とし、送水管竿体に設けるのを特徴とした請求項１に記載の水道水利用のミラー付雨樋掃除用具。
【請求項３】
送水管竿体に止水栓を装備し、さらに送水管竿体の握り手部分にグリップを設けるのを特徴とした請求項１及びに請求項２に記載の水道水利用のミラー付雨樋掃除用具。
【請求項４】
フレキシブル管の放水口には水流調整のノズルを装着自在として具備するのを特徴とする請求項１、請求項２及び請求項３に記載の水道水利用のミラー付雨樋掃除用具。
【請求項５】
ゴムホースの先端筒口にフレキシブル管を連結固定し、他一端部には水道ホース継合部を具備して構成するゴムホース送水管体と、持手用中竿と持手用外竿で伸縮自在とした持手用竿体に、ゴムホース送水管体の取付け用フックを数ヶ所設け、且持手用竿体先端部にミラーを装備する構造としたミラー付持手用竿体で完成するのを特徴とする水道水利用のミラー付雨樋掃除用具。
【発明の詳細な説明】
【技術分野】
【０００１】  本発明は、雨樋内部に詰まったゴミや落葉等を除去するにおいて、水道水の放水力で洗い流す方法を採用するものだが、雨樋内部をミラーで覗き見しながら強制除去作業ができるのを特徴とする水道水利用のミラー付雨樋掃除用具に関するものである。
【背景技術】
【０００２】  従来から雨樋掃除の手段としては、屋根に上がるか脚立や梯子に登って雨樋内部の落葉等を除去作業しているが、これらの作業方法では危険を伴い大変なリスクと労力を要する。まして屋根の上での作業となれば足場も不安定となりプロの業者ならまだしも一般の素人では不可能に近い。【０００３】  従来、雨樋の掃除をもっと楽にしようとする目的で出願公知のものがある。例えば雨樋に落葉等の進入を阻止する落葉除け網を設け、さらに水道水供給管を配置して水道水で吹き飛ばし除去する加圧水拡散手段のもの（特許文献１参照）や、また雨樋上辺部に落葉等の進入防止部材を破風板に取り付け雨水だけを樋に誘導させるもの（特許文献２参照）がある。又、本発明にもっとも類似するものとしてパイプの一端を半月状に曲げ、中継ぎパイプを連結して一方に水道ホースを取り付け水道水の水圧と水流で軒樋、或いは竪樋の漏斗部分に詰まったゴミを除去する方法（特許文献３参照）とか、支柱にホース押さえフックを設け、該フックに水道ホースを取付けて高所の雨樋を掃除する（特許文献４参照）などがある。【０００４】
【特許文献１】特開平  ８−２７９７２
【特許文献２】特開平１０−２８０６２６
【特許文献３】実用新案登録番号  第３０４１５０６号
【特許文献４】実用新案登録番号  第３０５６１５１号
【０００５】  上記に示す
【特許文献１】特開平８−２７９７２は水道水の圧力で落葉等を吹き飛ばす着想は同じでも、全体の構造や機能的な部分及び使用方法等においては全く異なるものであり、
【特許文献２】特開平１０−２８０６２６においては雨樋内部に落葉等の進入を防止する部材の発明としている。
【０００６】  しかし、
【特許文献３】実用新案登録番号第３０４１５０６号、または
【特許文献４】実用新案登録番号第３０５６１５１号は、本発明の水道水を利用するものとしての使い方及び除去方法等で着想的に同じと考えられため、図５、図６、で
【特許文献３】
【特許文献４】について以下説明する。
【０００７】  図５、は
【特許文献３】で参照する雨樋掃除パイプに関するもので、一端を半月状に曲げたパイプＡ、これに連結するパイプＢ、一方に水道ホースを取付けるようにしたパイプＣ、のそれぞれを連結して高所の雨樋のゴミを除去掃除する。
【０００８】  図６、は
【特許文献４】で参照する雨樋掃除用具に関するもので、支柱Ａ、Ａ｀・Ｂ、Ｂ｀に水道ホースを支持するフック３を設け、該フック３に水道ホースを取付けて水圧と水流で樋の汚れを掃除する。としている。
【発明の開示】
【発明が解決しようとする課題】
【０００９】  本発明と、上記に示す図５、図６、で示す方法とは異なるものである。それは、雨樋即ち軒樋、竪樋のどの部分に目詰まりの原因があるのか、また樋内部の現状況はどうなっているかなど下方向から確認することができないという欠点がある。そこで本発明ではそれらの欠点を補うもので、高い位置にある雨樋内部に堆積した落葉等の目詰まり状況、特に竪樋の漏斗部分に詰まる落葉等を本体に具備するミラーで下方向から遠隔的に覗き見しながら、水道水の放水力で洗い流して強制除去作業を可能にしようとするものである。即ち、軒樋、竪樋の目詰まり状況を確認しながら誰でも安全且容易に地上から掃除できる水道水利用のミラー付雨樋掃除用具を提供することにある。
【課題を解決するための手段】
【００１０】  本発明は、上記目的を達成するために、送水管中竿と送水管外竿の二本を嵌合して構成する送水管竿体において、送水管中竿の先端筒口から延長状にフレキシブル管を連結固定して設け、さらに送水管外竿の下方一端部には水道ホース継合部を具備した送水管竿体とする。【００１１】  さらに送水管竿体にミラー保持具を設け、ミラー保持具を介して覗き用ミラーを装備するのを特徴とした請求項１に記載の水道水利用のミラー付雨樋掃除用具とする。【００１２】  尚、ミラー保持具は、ミラーアーム支持部と係止掛部を具備する構造としたミラー保持具であり、該係止掛部は送水管竿体に対して直角方向に突出する構造として設ける。即ちミラーアーム支持部と係止掛部を具備する構造としたミラー保持具を送水管竿体に設けるのを特徴とした請求項１及び請求項２に記載の水道水利用のミラー付雨樋掃除用具である。【００１３】  保持具に設けるアーム支持部にミラーアームを挿着し、ミラーの高さの位置調整を図りネジで固定しミラーの取付けを完了する。又、ミラーは下方向から良く見えるように凸面鏡を採用し視界を広げ、回動自在にして視界方向の調整を可能とする。【００１４】  送水管外竿に具備する水道ホース継合部寄りに止水栓を装備し、送水管外竿の握り手部分にグリップを設けることで強い握力で持ち支えることが出来て送水管竿体が持ち易く、さらに、フレキシブル管の先端放水口にノズルを着脱自在として取付ければ、放水する水流の状態を調整可能とした水道水利用のミラー付雨樋掃除用具とすることができる。【００１５】  本発明では、高所に位置する雨樋を地上から掃除する方法についての解決手段として請求項５に記載する実施例２を以下記述する。【００１６】  本発明の実施例２は実施例１に比べ、より簡易化を図りより低コストを追求した構造のミラー付雨樋掃除用具である。【００１７】  ゴムホースの先端筒口にフレキシブル管を連結固定し、他一端部には水道ホース継合部を具備して構成するゴムホース送水管体を独立して設ける。【００１８】  次に、持手用中竿と持手用外竿の二本を伸縮自在とした持手用竿体を基体として、ゴムホース送水管の取付け用フックを数ヶ所設け、さらに持手用竿体の直角方向に突出して係止掛具を設け、且持手用竿体先端部に覗き用ミラーを装備する構造としたミラー付持手用竿体とし、ゴムホース送水管体をミラー付持手用竿体のフックに着脱自在装着し完成するのを特徴とする水道水利用のミラー付雨樋掃除用具。
【発明の効果】
【００１９】  高い位置にある雨樋内部の目詰まり状況を、本体に具備するミラーで地上方向から遠隔的に覗き見しながら、堆積した落葉等の障害物を水道水の放水力で洗い流すことができて、雨樋、特に竪樋の漏斗口の掃除を誰でも安全且容易にできるようになった。それにミラーの位置調整や視界方向の調整を可能としているため、軒先に入り込んだ雨樋の僅かな隙間からでも地上から見える。【００２０】  又、フレキシブル管を曲げ伸ばしすることで水道水の放水方向が自在に定められて落葉等の目標物を効率的に洗い流すことができ、さらに、開栓、閉栓が手元で操作できるので水道蛇口までいちいち足を運ぶ必要がなくなり、グリップ部分を持てば滑り止めの効果もあり持ちやすく機能的にも使い勝手の良い水道水利用のミラー付雨樋掃除具とすることができた。【００２１】  尚、送水管竿体の寸法は送水管中竿を２．５ｍ位の長さとし、送水管外竿を止水栓取付け部を加算した長さの２．６ｍ位の二本を組合わせる寸法で送水管竿体を構成すれば、使う人の身長も加えて二階の雨樋を約６．０ｍとしても地上から楽に掃除することができる。【００２２】  又送水管竿体が長尺であっても本発明ではミラー保持具に係止掛部を具備する構造としている為送水管竿体は安定して操作も楽であり、屋根に登らないので従来の方法に比べたら危険度も回避され安全で且作業能率を高める効果がある。【００２３】  ノズルを取付けて放水する水流、水圧の調整機能を可能とすれば、放水状態を霧状とか集中放水状とかに使い分け庭園の散水器や家屋外壁の掃除用具などとして、又車の下に入れ込みミラーを見ながら車の底部を洗うなど、いろんな用途に使うことができる付加価値の付いた水道水利用のミラー付雨樋掃除用具となった。【００２４】  又、本発明の請求項５に記載する実施例２は実施例１と構造的に異なるが、本発明が特徴とするフレキシブル管、係止掛部とする係止掛具、さらに雨樋内部を覗き見するミラーを採用して完成するものであり、目的に対する解決手段の方法はは同じである。但し、ミラー保持具、止水栓、グリップ等を省略しているため使い勝手の面では本発明の実施例１にやや劣るものの、シンプルな構造として低コスト化を図るという効果がある。
【発明を実施するための最良の形態】
【００２５】
【実施例１】
【００２６】  本発明の実施の形態を図面に従い以下説明する。【００２７】  図１は、本発明の実施例１とするミラー付雨樋掃除用具１１の構造を示す斜視図であり、図２は、本発明の実施例１とするミラー付雨樋掃除用具１１の側面要部斜視図で雨樋部は一部断面図である。【００２８】  本発明の実施例１とするミラー付雨樋掃除用具１１は図１に示す通り、送水管中竿２１と送水管外竿２２の二本を嵌合して組合わせ、伸縮自在として構成する送水管竿体１０を基体として高所に対応するものとする。【００２９】  送水管中竿２１の先端筒口から延長状に手で自由に曲げ戻しできるフレキシブル管２３を連結固定して設け放水口２４方向の制御を可能とし、さらに送水管外竿２２の下方一端部には水道ホースの着脱を容易とした水道ホース継合部２５を具備した送水管竿体１２とする。【００３０】  さらに送水管竿体１０のフレキシブル管２３の連結固定部２６寄りにミラー保持具２７を固定して設け、ミラー保持具２７を介して覗き用ミラー２８を装備するのを特徴とした請求項１に記載の水道水利用のミラー付雨樋掃除用具とする。【００３１】  尚、ミラー保持具２７は、ミラーアーム支持部２９と係止掛部３０を具備する構造としたミラー保持具２７であり、該係止掛部３０は送水管竿体１２に対して直角方向に突出する構造として設ける。【００３２】  上述の係止掛部３０は、作業途中の手休め時に係止掛部３０を雨樋に引っ掛けたり、また雨樋に乗せ掛けたり添わしたりして作業すれば長い送水管竿体１２の先端の不安定な揺れ防止としての役目もあり、作業能率が向上し使い勝手が良い。この発想は実体験の必要性から生れた大変利便性の高いものとして本発明が強く主張するものである。【００３３】  ミラー２８の取付け方法は、アーム保持具２７に設けるミラーアーム支持部２９にミラーアーム３１を挿着し、上下へのスライドを自在にしてミラーの高さの位置調整を図りネジ３２で固定しミラー２８の取付けを完了する。【００３４】  又、ミラー２８は地上方向から雨樋内部が良く見えるように凸面鏡を採用し視界を広げ、軸部３３を支点として回動自在にして視界方向の調整を可能とする。【００３５】  即ち、本発明はミラーアーム支持部２９と大変利便性の高い係止掛部３０を具備する構造としたミラー保持具２７を送水管竿体１２に設けるのを特徴とした請求項１及び請求項２に記載の水道水利用のミラー付雨樋掃除用具である。【００３６】  送水管外竿２２に具備する水道ホース継合部３４寄りに止水栓３５を装備すれば開栓、閉栓が手元の操作で出来るし、水道蛇口までいちいち足を運ぶ必要がなくなる。【００３７】  又、送水管外竿２２の握り手部分となる右手、左手位置にグリップ３６を設けることで強い握力で持ち支えることが出来て送水管竿体が持ち易くなり、使い勝手の良い大変持ち易いミラー付雨樋掃除用具１１となる。【００３８】  尚、フレキシブル管２３の先端放出口２４にノズルを着脱自在としてノズル３７を取付ければ、放水する水流、水圧の調整を可能とする構造の水道水利用のミラー付雨樋掃除用具１１とすることができる。【００３９】  図２は竪樋漏斗部４１に目詰まりした落葉等４３を除去するため、竪樋４０中心部に放水口２４を向けて落葉等４��を強制除去する状態を示すものである。【００４０】  図２で示す通り、軒先３７が雨樋に１／３程度被っているが隙間から充分雨樋の内部を覗き見ることができる。【００４１】  使い方は簡単である。水道ホース継合部２５に水道ホース４５を接続し、雨樋の内部が覗けるようにミラー２８とフレキシブル管２３の放水口角度を調整確認後、フレキシブル管２３の放水口２４が雨樋内部の目標に位置する状態でスタンバイし、地上に立ったまま止水栓３５を開栓して水道水の圧力で堆積したゴミや落葉等４３を流しながら簡単に除去して掃除することができる水道水利用のミラー付雨樋掃除用具１１である。
【実施例２】
【００４２】  本発明の請求項５に記載する実施例２は実施例１に比べ、より簡易化を図りより低コストを追求した構造のミラー付雨樋掃除用具１２である。【００４３】  図３は本発明の実施例２の構造を示す側面斜視図である。【００４４】  図３で示す本発明の実施例２は実施例１と構造的に異なるが本発明が特徴とするフレキシブル管６２、係止掛部とする係止掛具５３、さらに雨樋内部を覗き見するミラー２８を採用して完成するものであり、目的とする解決手段は同じであるため本発明の実施例２として以下記述する。【００４５】  ゴムホース６１の先端筒口にフレキシブル管６２を連結固定して放水口６３を設け、他一端部には水道ホース継合部６４を具備して構成するゴムホース送水管体６０を独立して設ける。【００４６】  次に、持手用中竿５２と持手用外竿５１の二本を嵌合して組合わせ、伸縮自在とした持手用竿体４９を基体とし、伸縮自在としての使い方は本発明の実施例１と同じだが、持手用中竿６２を握り手側として下方に位置する構造になる。【００４７】  持手用外竿５１にゴムホース送水管体６０の取付け用係止フック５４を数ヶ所固定して設け、持手用外竿５１にゴムホース送水管体６０の装着を着脱自在にする。即ち、伸縮自在のスライドを可能とするため持手用中竿５２を握り手側として下方に位置させ、持手用外竿５１に係止フック５４を外側に設ける構造となる。【００４８】  さらに持手用外竿５１の直角方向に突出して係止掛具５３を設け、この係止掛具５３の使用方法については、雨樋に係止掛具５３を引っ掛けて利便性を高めて作業するなど実施例１で記述の通りである。【００４９】  持手用外竿５１の先端部延長方向にミラーアーム３１を挿着固定し、本発明の特徴とする覗き用ミラー２８を装備する構造としたミラー付持手用竿体５０を独立した構造とする。【００５０】  当然ミラー２８は地上方向から雨樋内部が良く見えるように凸面鏡を採用し視界を広げ、軸部３３を支点として回動自在に視界方向の調整を可能としているのは実施例１と同じである。【００５１】  即ち本発明の実施例２は上記記述の通り、各独立したゴムホース送水管体６０をミラー付持手用竿体５０に着脱自在に装着する構造で完成するのを特徴とする水道水利用のミラー付雨樋掃除用具１２とするものである。【００５２】  以上のように、実施例２ではより簡易化を図るため実施例１で設けるミラー保持具２７、止水栓３５、グリップ３６等を省略しなるべくシンプルな構造としたミラー付雨樋掃除用具１２である。【００５３】  使い方は、ミラー２８とフレキシブル管６２の角度調整をした後、水道ホース継合部６４に水道ホース４５を接続連結し、持手用中竿５２を引き伸ばして高所用に長さの位置を調整固定し水道の蛇口を開栓して水流を利用して雨樋のゴミ、落葉等の除去掃除をする請求項５に記載のミラー付雨樋掃除用具１２である。【００５４】  使い勝手の面で本発明の実施例１にやや劣る欠点は免れないが、ミラーアーム保持具、止水栓、グリップ等を省略しシンプルな構造として低コスト化を図るという効果がある。【００５５】  図３は、本発明の実施例１及び実施例２とするミラー付雨樋掃除用具１１、１２の使用中の状態を示す斜視図である。
【図面の簡単な説明】
【図１】本発明の実施例１とする斜視図である。
【図２】本発明の実施例１とする部分斜視図である。
【図３】本発明の実施例２とする側面斜視図である
【図４】本発明の実施例１及び実施例２とする使用状態を示す斜視図である。
【図５】参照図面
【図６】参照図面
【符号の説明】
１０、          送水管竿体
１１、１２、    ミラー付雨樋掃除具
２１、          送水管中竿
２２、          送水管外竿
２３、６２、    フレキシブル管
２４、６３、    放水口
２５、６４、    水道ホース継合部
２６、          連結固定部
２７、          ミラー保持具
２８、          ミラー
２９、          ミラーアーム支持部
３０、          係止掛部
３１、          ミラーアーム
３２、          ネジ
３３、          軸部
３５、          止水栓
３６、          グリップ
３７、          ノズル係止フック
４０、          竪樋、
４１、          竪樋漏斗部
４２、          軒樋
４３、          落葉等
４４、          軒先
４５、          水道ホース
４９、          持手用竿体
５０、          ミラー付持手用竿体
５１、          持手用外竿
５２、          持手用中竿
５３、          係止掛具
５４、          係止フック
６０、          ゴムホース送水管体
６１、          ゴムホース
【図１】
2005264687.tif 000003
【図２】
2005264687.tif 000004
【図３】
2005264687.tif 000005
【図４】
2005264687.tif 000006
【図５】
2005264687.tif 000007
【図６】
2005264687.tif 000008